(57)【要約】【課題】  毛髪にシャンプー、トリートメントを使用する洗髪、調質作業時や、ヘアカラー等を用いた染毛作業等時に、シャンプー、トリートメント、ヘアカラー等の液体を髪に容易に掛けることができ、かつ液体を掛ける作業中に、誤って液体を被作業者の顔に掛けることを防止することができる毛髪用塗布具を提供することを目的とする。【解決手段】  略楕円形で、中央部が窪み、液体を収容可能である皿部１１と、皿部１１の上部に位置し、中央部が出っ張る蓋部１２と、を備え、皿部１１と蓋部１２を、皿部１１の長手方向側の両辺の少なくとも一部で接合し、蓋部１２の末端が皿部１１の末端より短いことにより、皿部１１の末端から液体の収納が可能であり、蓋部１２の先端が、皿部１１の先端より突出することにより、皿部１１の先端から液体の取り出しが可能であることを特徴とする、毛髪用塗布具１である。【選択図】      図１
2017119074.tif 000002
【特許請求の範囲】
【請求項１】
略楕円形で、中央部が窪み、液体を収容可能である皿と、
皿部の上部に位置し、中央部が出っ張る蓋と、
を備え、
皿と蓋を、皿の長手方向側の両辺の少なくとも一部で接合し、
蓋の末部が皿の末部より短いことにより、皿の末部から液体の収納が可能であり、
蓋の先部が、皿の先部より突出することにより、皿の先部から液体の取り出しが可能であることを特徴とする、毛髪用塗布具。
【請求項２】
さらに、皿の末部に、取手を備える、請求項１記載の毛髪用塗布具。
【請求項３】
ゴム製または樹脂製である、請求項１または２記載の毛髪用塗布具。
【発明の詳細な説明】
【技術分野】
【０００１】
本発明は、毛髪用塗布具に関する。特に、シャンプー、トリートメント、ヘアカラー等の液体の塗布に適した毛髪用塗布具に関する。
【背景技術】
【０００２】
美容院や理髪店では、毛髪にシャンプー、トリートメントを使用する洗髪、調質作業や、ヘアカラー等を用いた染毛作業等が行われている。一般に、これらの作業を行うときには、シャンプー、トリートメント、ヘアカラー等の液体により、髪の毛が痛むことが、知られている。
【０００３】
しかしながら、本発明者は、美容師や理容師（以下、美容師等という）が、液体を髪の毛に掛けながら上記作業を行うと、液体の乳化により、髪の痛みが減る、ことを見出した。
【０００４】
毛髪用塗布具としては、毛髪用塗布液を貯留する貯留部を有する塗布具本体と、該貯留部に毛髪用塗布液を保持する多孔質吸蔵体と、該塗布具本体の先端に設けられた複数の毛髪狭持部と、を備える毛髪用塗布具であって、該毛髪狭持部の少なくとも一つは多孔質塗布体を含み、この多孔質塗布体は該毛髪狭持部の毛髪と接する部分に配されていることを特徴とする毛髪用塗布具（特許文献１）が、報告されている。
【０００５】
しかしながら、この毛髪用塗布具は、白髪などの１本〜複数本程度の部分的な染毛や、グラデーションとなるように染める領域ごとに髪の毛を多色に染め分ける染毛等の塗布作業が容易にできると共に、好適な量となる染毛料を染めたい髪の毛にしっかりと塗布することができる毛髪用塗布具の提供、並びに、毛髪の１本〜複数本程度の部分的な脱色剤塗布が容易にできる毛髪用塗布具を提供することを目的とする（特許文献１の第０００６段落）ため、構造が複雑であり、髪全体に対して行うシャンプー、トリートメントを使用する洗髪、調質作業や、ヘアカラー等を用いた染毛作業には、適していない。
【先行技術文献】
【特許文献】
【０００６】
【特許文献１】特開２０１３−２２３６５６号公報
【発明の概要】
【発明が解決しようとする課題】
【０００７】
本発明は、毛髪にシャンプー、トリートメントを使用する洗髪、調質作業時や、ヘアカラー等を用いた染毛作業等時に、シャンプー、トリートメント、ヘアカラー等の液体を髪に容易に掛けることができ、かつ液体を掛ける作業中に、誤って液体を被作業者の顔に掛けることを防止することができる毛髪用塗布具を提供することを目的とする。
【課題を解決するための手段】
【０００８】
本発明は、以下に示す構成によって上記課題を解決した毛髪塗布具に関する。
〔１〕略楕円形で、中央部が窪み、液体を収容可能である皿と、
皿部の上部に位置し、中央部が出っ張る蓋と、
を備え、
皿と蓋を、皿の長手方向側の両辺の少なくとも一部で接合し、
蓋の末部が皿の末部より短いことにより、皿の末部から液体の収納が可能であり、
蓋の先部が、皿の先部より突出することにより、皿の先部から液体の取り出しが可能であることを特徴とする、毛髪用塗布具。
〔２〕さらに、皿の末部に、取手を備える、請求項１記載の毛髪用塗布具。
〔３〕ゴム製または樹脂製である、上記〔１〕または〔２〕記載の毛髪用塗布具
【発明の効果】
【０００９】
本発明〔１〕によれば、毛髪にシャンプー、トリートメントを使用する洗髪、調質作業時や、ヘアカラー等を用いた染毛作業等時に、シャンプー、トリートメント、ヘアカラー等の液体を紙に容易に掛けることができ、かつ液体を掛ける作業中に、誤って液体を被作業者の顔に掛けることを防止することができる毛髪用塗布具を提供することができる。
【００１０】
本発明〔２〕によれば、毛髪用塗布具のハンドリングがよくなり、また、使用者が取手を掴むことにより、使用者の手への液体からの保護することができる。
【図面の簡単な説明】
【００１１】
【図１】本発明の毛髪用塗布具の上面図の模式図の一例である。
【図２】本発明の毛髪用塗布具の下面図の模式図の一例である。
【図３】本発明の毛髪用塗布具の側面図の模式図の一例である。
【図４】本発明の取手を備えた毛髪用塗布具の上面図の模式図の一例である。
【図５】本発明の取手を備えた毛髪用塗布具の側面図の模式図の一例である。
【図６】本発明の毛髪用塗布具の先部側から見た図の模式図の一例である。
【図７】本発明の毛髪用塗布具の先部側から見た図の模式図の一例である。
【図８】本発明の毛髪用塗布具の使用時の写真の一例である。
【図９】本発明の毛髪用塗布具の使用時の写真の一例である。
【発明を実施するための形態】
【００１２】
以下、本発明を実施形態に基づいて具体的に説明する。なお、％は特に示さない限り、また数値固有の場合を除いて質量％である。
【００１３】
本発明の毛髪用塗布具（以下、毛髪用塗布具という）は、
略楕円形で、中央部が窪み、液体を収容可能である皿と、
皿部の上部に位置し、中央部が出っ張る蓋と、
を備え、
皿と蓋を、皿の長手方向側の両辺の少なくとも一部で接合し、
蓋の末部が皿の末部より短いことにより、皿の末部から液体の収納が可能であり、
蓋の先部が、皿の先部より突出することにより、皿の先部から液体の取り出しが可能であることを特徴とする。
【００１４】
図１に、毛髪用塗布具の上面図の模式図の一例を、図２に、本発明の毛髪用塗布具の下面図の模式図の一例を、図３に、本発明の毛髪用塗布具の側面図の模式図の一例を、示す。ここで、図１、２中の破線は、山折りを、一点斜線は、谷折りを示す。後述する図４においても、同様である。図１〜３からわかるように、毛髪用塗布具１は、略楕円形で、中央部が窪み、液体を収容可能である皿１１と、皿１１の上部に位置し、中央部が出っ張る蓋１２と、を備え、皿１１と蓋１２を、皿１１の長手方向側の両辺の少なくとも一部で接合し、蓋１２の末端（図１の右側）が皿１１の末端（図１の右側）より短いことにより、皿１１の末端から液体の収納が可能であり、蓋１２の先端（図１の左側）が、皿部１１の先端（図１の左側）より突出することにより、皿部１１の先端から液体の取り出しが可能である。
【００１５】
蓋の形状の一例は、皿と略同サイズの略楕円形の末部側を切断した形状である。略楕円形の末部側を切断することにより、皿の末部から液体の収納が容易になる。皿と略同サイズの略楕円形の末部を切断した後の皿のサイズの一例は、略楕円形の１／２〜４／５である。
【００１６】
毛髪用塗布具は、皿の末部と蓋の末部との間隔を適宜選択することにより、液体の収納しやすさを制御することができる。皿の末部と蓋の末部との間隔の一例は、１５〜３０ｍｍである。
【００１７】
毛髪用塗布具は、皿の先部と蓋の先部との間隔を適宜選択することにより、液体の取り出し量を制御することができる。この間隔は、主に、所望の液体の取り出し量や、液体の粘度により選択できるが、皿の先部と蓋の先部との間隔の一例としては、１〜１０ｍｍである。
【００１８】
なお、毛髪用塗布具は、場合により、皿の先部と蓋の先部から液体を収納、取り出ししながら、使用することもできる。
【００１９】
ここで、毛髪用塗布具は、上下を逆にして使用することもでき、上下を逆にすることにより、毛髪用塗布具使用時の液体の取り出し量を変えることができる。
【００２０】
この毛髪用塗布具は、ゴム製または樹脂製であると、使用者の手が痛くならない、使用者の手が冷たくならない、毛髪用塗布具がぶつかったときに音が出ないため、好ましい。ゴムとしては、シリコーンゴム、フッ素ゴム、天然ゴム、イソプレンゴム、ブタジエンゴム、スチレンブタジエンゴム、クロロプレンゴム等が、樹脂としては、ポリプロピレン、ポリエチレン、ポリウレタン、シリコーン樹脂、ポリ塩化ビニル、ポリテトラフッ化エチレン、ポリフッ化ビニリデン等が挙げられる。
【００２１】
この毛髪用塗布具は、片手で持てるサイズであり、かつ所望の液体を扱うことができるサイズであると好ましい。毛髪用塗布具のサイズの一例としては、皿の長手方向側が、１２〜２０ｃｍ、皿の短手方向が、６〜１０ｃｍである。また、毛髪用塗布具の厚さの一例は、最厚部で２〜４ｃｍである。
【００２２】
また、毛髪用塗布具は、皿の末部に、取手を備えると、毛髪用塗布具のハンドリングがよくなり、また、使用者が取手を掴むことにより、使用者の手への液体から保護することができ、好ましい。
【００２３】
図４に、取手を備えた毛髪用塗布具の上面図の模式図の一例を示す。図４では、毛髪用塗布具１００は、略楕円形で、中央部が窪み、液体を収容可能である皿１１１と、皿１１１の上部に位置し、中央部が出っ張る蓋１１２と、を備え、皿１１１と蓋１１２を、皿１１１の長手方向側の両辺の少なくとも一部で接合し、蓋１１２の末端が皿１１１の末端より短いことにより、皿部１１１の末端から液体の収納が可能であり、蓋１１２の先端が、皿１１１の先端より突出することにより、皿１１１の先端から液体の取り出しが可能であり、皿１１１の末部に、取手１１３を備える。
【００２４】
この取手１１３を備えることにより、毛髪用塗布具１００のハンドリングが良くなり、また、使用者が取手１１３を掴むことにより、使用者の手への液体から保護することができる。
【００２５】
また、取手１１３を適宜選択することにより、毛髪用塗布具１００の未使用時には、取手１１３を下にして、毛髪用塗布具１００を立てておくことができる。
【００２６】
図４では、取り出し部１１３の両端に、引掛け部１１４が取り付けられている。この引っ掛け部１１４により、毛髪用塗布具１００の未使用時に、シャンプー台等にかけることができる。図4では、引掛け部１１４は、２箇所設けられているが、いずれか１箇所で引っ掛ければよい。
【００２７】
図５に、図４とは別の形態の引掛け部を備えた毛髪用塗布具の上面図の模式図の一例を示す。図４でも、毛髪用塗布具２００は、略楕円形で、中央部が窪み、液体を収容可能である皿２１１と、皿２１１の上部に位置し、中央部が出っ張る蓋２１２と、を備え、皿２１１と蓋２１２を、皿２１１の長手方向側の両辺の少なくとも一部で接合し、蓋２１２の末端が皿２１１の末端より短いことにより、皿２１１の末端から液体の収納が可能であり、蓋２１２の先端が、皿２１１の先端より突出することにより、皿２１１の先端から液体の取り出しが可能であり、皿２１１の末部に、取手２１３を備える。
【００２８】
図５では、取り出し部２１３の末端に、引掛け部２１４が取り付けられている。引っ掛け部２１４の幅は、特に限定されないが、液体を収容可能である皿２１１の幅より狭いと、使用時に邪魔にならず、好ましい。また、引っ掛け部２１４の幅は、液体を収容可能である皿２１１の幅の１／３以上であると、毛髪用塗布具２００を安定して引掛けることができ、好ましい。
【００２９】
次に、図６に、本発明の毛髪用塗布具の先部側から見た図の模式図の一例を示す。図６では、蓋は上部に反り、皿は下部に反っている。このとき、蓋の上部への反りが、底の下部への反りより大きい方が、毛髪用塗布具の上下を反転したときの液体の取り出し量の差が大きくなり、好ましい。
【００３０】
次に、図７に、本発明の毛髪用塗布具の先部側から見た図の模式図の一例を示す。図７では、蓋は上部に反り、皿は中央部が下部に反っている。このとき、皿は中央部が下部に反る部分は、皿の幅の１／４〜１／２（図７では、約１／３）であると、毛髪用塗布具の上下を反転したときの液体の取り出し量の差が、図６の場合より大きくなり、好ましい。
【００３１】
図８、９に、本発明の毛髪用塗布具の使用時の写真の一例を示す。図８は、蓋を上にして使用している場合であり、図９は、皿を上にして使用している場合である。図８、図９からわかるように、図８の方が、液体の取り出し量が多い。
【００３２】
以上のように、本発明により、毛髪にシャンプー、トリートメントを使用する洗髪、調質作業時や、ヘアカラー等を用いた染毛作業等時に、シャンプー、トリートメント、ヘアカラー等の液体を髪に容易に掛けることができ、かつ液体を掛ける作業中に、誤って液体を被作業者の顔に掛けることを防止することができる毛髪用塗布具を提供することができる。
【符号の説明】
【００３３】
１、１００、２００      毛髪用塗布具
１１、１１１、２１１    皿
１２、１１２、２１２    蓋
１１３、２１３          取手
１１４、２１４          引掛け部
【図１】
2017119074.tif 000003
【図２】
2017119074.tif 000004
【図３】
2017119074.tif 000005
【図４】
2017119074.tif 000006
【図５】
2017119074.tif 000007
【図６】
2017119074.tif 000008
【図７】
2017119074.tif 000009
【図８】
2017119074.tif 000010
【図９】
2017119074.tif 000011